(57)【要約】【課題】  この発明は、相互に隔離された主収納空間と補助収納空間とを備える飲食用容器に関するものである。【解決手段】  内容物を入れる主収納空間と、前記内容物を排出する排出部を有する本体と、主収納空間に形成されて他の食品を入れる補助収納空間を含み、前記主収納空間と補助収納空間は相互に隔離されたことを特徴とする。
2006520722.tif 000002
【特許請求の範囲】
【請求項１】
内容物を入れる主収納空間と、
前記内容物を排出する排出部を有する本体と、
主収納空間に形成されて他の食品を入れる補助収納空間を含み、
前記主収納空間と補助収納空間は相互に隔離されたことを特徴とする飲食用容器。
【請求項２】
前記補助収納空間はシール部材により密閉されることを特徴とする請求項１に記載の飲食用容器。
【請求項３】
前記排出部は栓によって密閉されることを特徴とする請求項１に記載の飲食用容器。
【請求項４】
前記排出部に排出体が設けられることを特徴とする請求項１に記載の飲食用容器。
【請求項５】
前記排出部は空気流入孔を含むことを特徴とする請求項１に記載の飲食用容器。
【請求項６】
前記排出部はストロー挿入孔あるいは排出孔を含むことを特徴とする請求項１に記載の飲食用容器。
【請求項７】
前記排出部は切取線に区画された引きハンドルを有する切取膜を含むことを特徴とする請求項１に記載の飲食用容器。
【請求項８】
前記排出部は一定の角度に傾く折曲部を含むことを特徴とする請求項１に記載の飲食用容器。
【請求項９】
前記本体は下部に向かって徐々に幅広く形成されたことを特徴とする請求項１に記載の飲食用容器。
【請求項１０】
前記本体の下部はシール部材により密閉されることを特徴とする請求項１に記載の飲食用容器。
【請求項１１】
前記本体はその上部に密閉結合される補助容器体を含み、前記補助容器体は補助収納空間と排出部を形成したことを特徴とする請求項１に記載の飲食用容器。
【請求項１２】
前記シール部材は開閉可能に形成されていることを特徴とする請求項２に記載の飲食用容器。
【請求項１３】
前記排出部はその内側に上下移動される作動排出部を含むことを特徴とする請求項４に記載の飲食用容器。
【請求項１４】
前記排出体は補助排出体を含むことを特徴とする請求項４に記載の飲食用容器。
【請求項１５】
前記排出部は補助収納空間の内側に折り曲げ可能に形成されていることを特徴とする請求項８に記載の飲食用容器。
【請求項１６】
前記補助容器体はインサート成形、超音波接着、熱接着、ベンディング圧着あるいはスクリュー締結構造によって本体に密閉結合されることを特徴とする請求項１１に記載の飲食用容器。
【請求項１７】
前記本体は金属カン、紙パックあるいはパウチであることを特徴とする請求項１１に記載の飲食用容器。
【請求項１８】
前記補助容器体に切取線によって区画された切取膜と、前記切取膜に連結された引きハンドルを設けることを特徴とする請求項１１に記載の飲食用容器。
【請求項１９】
前記補助容器体に切取孔と、前記切取孔を閉める栓を設けることを特徴とする請求項１１に記載の飲食用容器。
【請求項２０】
前記補助容器体の補助収納空間に濾過紙を挿入設置することを特徴とする請求項１８または請求項１９に記載の飲食用容器。
【発明の詳細な説明】
【技術分野】
【０００１】
本発明は相互に隔離された主収納空間と補助収納空間とを備える飲食用容器に関するものである。
本発明は使用者が排出体を通じて飲料を吸飲でき、または他の容器に注いで移すことができる飲食用容器に関するものである。 
また、本発明はスナックを保管できる補助収納空間を備える飲食用容器に関するものである。
【背景技術】
【０００２】
インスタント食品及び飲料産業は益々発展しており、インスタント食品及び飲料に適う多様な種類の容器が開発されている。
従来の二重空間を有する飲食用容器は、容器本体と、容器本体の上方に結合した補助容器を含む。前記容器本体には飲料が入られ、補助容器にはスナックが入られる。
しかしながら、従来の飲食用容器は、構造的に密閉性が悪いので、インスタント食品にだけ使用された。即ち，食品とか飲料の内臓用としては使用できなかった。また、従来の容器は内容物を他の容器に移さない短所もあった。
また、従来の他の飲食用容器は、飲料を貯蔵する第一コップとスナックを貯蔵するために第一コップに挿入される第二コップを含む。前記第二コップには排出部が形成されている。
しかし、このような従来の飲食用容器は密閉性が不良である。また、排出部が人体に適合に構成されていないので、第一コップに貯蔵された飲料の飲用が不便な問題点がある。
従って、複合的な用途に使用でき、密閉性を向上させて内容物を長期に保管できる容器が要求されている。
【発明の開示】
【発明が解決しようとする課題】
【０００３】
本発明は前記の従来技術の問題点を解決するために創案されたものであって、本発明の目的は、主収納空間と、この主収納空間に形成された補助収納空間を備え、二つの収納空間が完全密閉される飲食用容器を提供することである。
また、本発明の他の目的は、使用者が排出体を通じて飲料を吸飲でき、または他の容器に注いで移すことができる飲食用容器を提供することである。
【課題を解決するための手段】
【０００４】
前記目的を実現するために、本発明は、内容物を入れる主収納空間と、前記内容物を排出する排出部を有する本体と、主収納空間に形成されて他の食品を入れる補助収納空間を含み、前記主収納空間と補助収納空間は相互に隔離された飲食用容器を提供する。
【０００５】
前記補助収納空間はシール部材により密閉される。前記排出部は栓により密閉される。
前記排出部には排出体が設けられる。また、前記排出部は空気流入孔を含む。
前記排出部はストロー挿入孔あるいは排出孔を含む。また、前記排出部は切取線に区画された引きハンドルを有する切取膜を含むことができる。
前記排出部は一定の角度に傾く折曲部を含む。前記本体は下部に行けば行くほど広く形成される。また、前記本体の下部はシール部材により密閉される。
【０００６】
前記本体はその上部に密閉結合される補助容器体を含み、前記補助容器体は補助収納空間と排出部とを備える。
前記シール部材は開閉できるように構成する。前記排出部は排出部の内側に上下移動される作動排出部を含む。
前記排出体は補助排出体を含むことができる。また、前記排出部は補助収納空間の内側に折曲げられる。
【０００７】
前記補助容器体はインサート成形、超音波接着、熱接着、ベンディング圧着あるいはスクリュー締結構造によって本体に密閉結合される。
前記本体は金属カン、紙パックあるいはパウチで作ることができる。前記補助容器体には切取線に区画された切取膜と、前記切取膜に連結された引きハンドルを設ける。
前記補助容器体には切取孔と、前記切取孔を閉める栓を設けることができる。前記補助容器体の補助収納空間には濾過紙を挿入設置する。
【発明を実施するための最良の形態】
【０００８】
以下に、本発明の好ましい実施形態について添付した図面を参照しながら説明する。
図１に示すとおり、本発明の飲食用容器１は液状内容物を入れる主収納空間２と、前記主収納空間２を形成し、液状内容物を排出する排出部が設けられた本体１０を含む。
【０００９】
前記本体１０は主収納空間２の上部に陥没された補助収納空間３を含む。
前記主収納空間２は補助収納空間３から隔離される。
前記補助収納空間３の側方に形成される排出部には栓３０が結合される。
前記排出部には筒状の排出体４０が設置される。
【００１０】
本体１０は上面部６及び側面部７を含む。前記側面部７の下側には環状縁部８が形成されている。
本体１０の下端を通じて液状内容物を内入する。環状縁部８にシール部材（図示せず）が結合されて本体１０を密閉させる。
本発明の使用時には、使用者は栓３０を開けて、排出体４０を通じて液状内容物を吸い出すことができる。
【００１１】
前記補助収納空間３にはスナックが貯蔵される。従って、使用者はシール部材９を除去して、液状内容物を飲みながら補助収納空間３に入れたスナックを摂取することができる。
そして、前記本体１０は上方部が狭くて下方部が広い形態になっているので、 本体は移動のために多段に積層できる。
また、本発明では本体の下端部を密閉させた状態で、栓３０を開いて排出部を通じて液状内容物を注入させることができる。
【００１２】
他の実施形態として、図２に示したように、本体１０の上面部６にはストロー挿入孔１３が複数個に形成されている。
また、他の実施形態として、図３のように、本体の上面部に排出孔１４を形成して、使用者は排出孔１４を通じてストローを選択的に使用することができる。
【００１３】
図４に示したように、本体の上面部にはストローを挿して使用することができる薄膜４が形成されている。前記薄膜４には切取線が形成されている。
図５に示したように、排出部は補助収納空間３に形成される。 前記排出部は引きハンドル１７がある切取膜１５を備える。
【００１４】
図６および図７に示したように、補助収納空間３にスナック１９を収納し、補助収納空間３の上部をシール部材９で密閉させる。使用時には、シール部材９を除去した後、引きハンドル１７を引いて切取膜１５を除去する。 ストロー１８は前記切取膜１５の除去にしたがって形成された切取孔に挿入される。
【００１５】
図８は本発明の他の実施形態を示している。
図示したとおり、本発明の飲食用容器１は主収納空間１１がある本体１０を含む。 補助容器体２０が前記本体１０の上方に結合される。また、前記本体１０はその上方に結合用の環状縁部１２が形成される。
【００１６】
前記補助容器体２０には前記本体１０の環状縁部１２に対応されて組み立てられる環状縁部２１が形成される。 前記補助容器体２０は補助収納空間２２及び補助収納空間２２の側方に形成される排出部２３を含む。前記排出部２３には折曲部２６が形成されて、 排出部２３と上面部２４との間の連結部２５を基準にして、排出部２３が補助収納空間２２に向かって傾くようにする。
【００１７】
前記排出部２３にはねじ山２７などの結合により栓３０が取り付けられる。
本体１０の主収納空間１１に入れた内容物を取り出すために、排出体４０が排出部２３に組み立てられる。
前記排出体４０は排出部２３の挿入孔に対応される作動排出部４１を含む。
【００１８】
前記作動排出部４１にはその下端に蛇腹部４６が連なる環状突部４２と該環状突部４２の上方に形成された側面排出孔４４が形成される。
また、前記作動部４１の上方には環状縁部４５が形成される。前記環状突部４２は折曲部４３に代替することもできる。
【００１９】
以上のような飲食用容器の作動状態について以下に説明する。
本体１０の主収納空間１１に液状内容物を入れて、栓３０で閉じた排出部２３を有する補助容器体２０を本体１０に結合させる。
【００２０】
前記補助容器体２０の補助収納空間２２にはスナックを内入し、ＡＬ膜のようなシール部材５０で密閉させる。
前記シール部材５０の密閉前に、排出部２３は補助収納空間２２に向かって折り曲げられる。
【００２１】
使用時には、シール部材５０を除去した後、栓３０を持ち上げる（図９参照）。  そして、主収納空間１１の液状内容物を飲用するために、栓３０を除去する（図１０参照）。使用者が排出体４０を吸うと、液状内容物が前記排出体４０を通じて吸出される。 
【００２２】
ここで、作動部４１を引き上げると、側面排出孔４４が排出部２３の挿入孔壁により密閉されるので、液状内容物が排出体４０を通じて吸出される。 液状内容物が排出される時、真空が掛かることを予防するために、排出体４０の外壁に空気流入部が形成される。
【００２３】
そして、液状内容物を他の容器に移す時は、図１１に示すように、作動部４１を引き下げ排出体４０が下向に移動されて、側面排出孔４４が開くようになる。
このような状態で、容器１を持ち上げて傾けた状態に加圧すると、液状内容物が側面排出孔４４と上端で開口する排出孔を通じて排出される。
【００２４】
図１０に示した状態で、容器１を逆に傾ければ、補助収納空間２２に入れたスナックが落下する。しかし、これは多様な方法により予防できる。例えば、補助収納空間２２をさらに塞ぐ構造に形成したり、または補助収納空間２２に別途の補助容器６０を設けることができる。
以上のように、本発明の飲食用容器１は飲料を飲みながらスナックを摂取するように構成されたことである。
【００２５】
本発明のまた他の実施形態として、図１２に示したように、 補助容器体９２０は本体９１０にインサート成形工程により一体に成形される。
図１３は、本体１０１０と補助容器体１０２０を有する飲食用容器１が、例えば、ダイレクトブローまたはインジェクションブロー製法により一体に成形されたことを示す。これは製造費用が安い利点を持つ。
【００２６】
図１４は、多角形に形成された飲食用容器１を示している。本体１１１０及び補助容器体１１２０は四角に形成される。
図１５は、柔軟パウチに付着される結合部１２２１を有する補助容器体１２２０示している。
図１６は、本体１４１０にワンタッチ方式に結合される補助容器体１４２０を示している。
【００２７】
即ち、 本体１４１０の上端に環状縁部１４１２、１４１２′が形成され、 補助容器体１４２０にその環状縁部１４１２、１４１２′に固定される結合部１４２１、１４２１′が形成される。 
【００２８】
図１７は、本体１５１０にスクリュー方式に結合される補助容器体１５２０を示している。即ち、本体１５１０の上端にねじ山１５１３を形成し、 補助容器体１５２０にも本体１５１０のねじ山１５１３に結合されるねじ山を形成したことである。
【００２９】
図１８は、補助容器体１６２０が本体１６１０の上端に結合されてシール部材として機能する本体１６１０を示している。具体的に、本体１６１０の上端に環状縁部段１６１２を形成し、 補助容器体１６２０に前記本体１６１０の環状縁部段１６１２に挿入される結合部１６２１を形成して、本体に密封される。
【００３０】
図１９及び図２０は、本体１８１０と本体１８１０の内面に結合部１８２１により結合される補助容器体１８２０とを有する飲食用容器を示している。 前記結合部１８２１には切取線が形成されて補助容器体１８２０を容易に開封することができる。
【００３１】
即ち、切取線１８１４は折綴線１８１３の周囲に形成し、前記切取線１８１４を破壊し、補助収納空間２２を再び塞ぐための補助切取線１８１５を形成する。前記補助切取線１８１５を破棄するための案内部１８１６が薄板に形成されている。
使用時には、案内部１８１６を補助切取線１８１５が形成された部位に引くと、補助切取線１８１５及び切取線１８１４が破壊されながら本体１８１０の一部が除去されることである。
【００３２】
前記状態で、残った部位を引くと、切取線１８１４が破壊されながら補助収納空間２２が開く。 図２０に示したとおり、栓３０を持ち上げた後、切取された部位は補助収納空間２２を再び閉じるために使用することができる。
【００３３】
他の実施形態として、図２１に示したように、排出部２３の内部に排出孔２１２８を形成する。空気流入孔２１２９が排出孔２１２８を有する壁に形成される。使用時には、容器１を傾けば、本体２１１０に入れた液状内容物が排出されると同時に空気流入孔２１２９を通じて空気が本体２１１０に入るので液状内容物が有効に排出される。
【００３４】
図２２は、排出部２３の内部で上下に移動される補助排出体２３４０を示す。使用時には、前記補助排出体２３４０が外部に伸びるので、使用者が内容物を容易に飲用することができる。
図２３は、排出孔２５２８が形成された排出部２３を示している。
【００３５】
図２４は、衛生上の理由で、 補助収納空間２６２２から隔離壁２６７０により区別された排出部２３を示している。
図２５は、補助収納空間２２の側方に結合突起２８４１によって一定な角度に動くことができる排出体２８４０を示している。
【００３６】
前記排出体２８４０は内部に長く貫通された排出孔２８４２が形成され、前記結合突起２８４１がある固定部２８４３にはストロー組立部２８４４の上端孔を塞げる密閉突起が形成される。
そして、前記ストロー組立部２８４４の辺りには空気流入孔２８４５を形成する。前記空気流入孔２８４５を塞ぐ密閉突起２８４６を排出体２８４０に形成する。
【００３７】
使用時には、排出体２８４０を結合突起２８４１を中心に持ち上げると、 ストロー組立部２８４４の上端孔と空気流入孔２８４５が開く。
このような状態で、排出体２８４０を吸うと、排出孔２８４２とストロー２８４７が連通されるので、本体２８１０内の内容物が吸出される。この時、空気流入孔２８４５を通じて外気が本体２８１０に流入される。
【００３８】
図２６は、 排出孔が形成された排出部を示している。前記排出孔の上端は切取線２９２４を有する切取膜２９２５により塞ぐ。前記切取線２９２４を容易に除去するために、切取膜２９２５には引きハンドル２９２６を形成する。
使用時には、前記引きハンドル２９２６を引っ張ると、切取線２９２４が破壊されながら切取膜２９２５が分離されて排出孔を開く。
【００３９】
図２７は、排出孔および/または空気流入孔が形成された排出部を示している。  前記排出孔の上端部を密閉膜３０２４に密閉させる。
図２８及び図２９は、スナックを貯蔵する機能とは異なる他の機能を持つ補助収納空間３１２２を示している。
【００４０】
補助収納空間３１２２の下方に切取線３１２３に区画された切取膜３１２４を形成する。前記切取膜３１２４の上方には引きハンドル３１２５を形成する。そして、前記切取膜３１２４の除去により形成された切取孔３１２６を向いて補助収納空間３１２２の底面に突起部３１２７を多数形成する。
【００４１】
前記突起部３１２７は補助収納空間３１２２に入れた物質に関わらず液体が流れることを案内する役割を果たす。
前記突起部３１２７により、引きハンドル３１２５を引いて切取膜３１２４を除去した状態でコーヒーの滴下ができる。
即ち、補助収納空間３１２２に原豆コーヒー３２００を投入した濾過紙３１００を位置させた後、その濾過紙３１００上に水を注ぐ。
【００４２】
この時、突起部３１２７により、液体の流れ空間は補助収納空間３１２２の底部と濾過紙３１００の間に形成されるので、コーヒー３２００を含む水はその切取孔３１２６を通じて本体のメイン収納空間に流れる。
【００４３】
前記突起部３１２７の高さ「Ｃ」は補助収納空間３１２２の体積によって調整される。
図３０は、 容器を傾けた場合に切取孔を通じて本体の内容物が外に溢れることを予防するために、 栓３３００で密閉させた補助収納空間３１２２の下部に形成された切取孔をを示すものである。
図３１は、補助収納空間３４２２の開閉が反復できるシール部材３４５０により密閉された補助収納空間３４２２示している。
【産業上の利用可能性】
【００４４】
以上に説明したように、本発明は相互に隔離されたメイン収納空間と補助収納空間を備える飲食用容器を提供する。 
また、本発明は使用者が排出体を通じて飲料を吸飲でき、または他の容器に注いで移すことができる飲食用容器を提供する。
【図面の簡単な説明】
【００４５】
【図１】本発明の飲食用容器を示した一部切開斜視図である。
【図２】本発明の排出部の実施形態を示した斜視図である。
【図３】本発明の排出部の他の実施形態を示した斜視図である。
【図４】本発明の排出部の実施形態を示した斜視図である。
【図５】本発明の他の実施形態を示した斜視図である。
【図６】図５の未使用時の斜視図である。
【図７】図５の使用状態を示した斜視図である。
【図８】本発明の他の実施形態を示した断面図である。
【図９】図８の使用状態を示した断面図である。
【図１０】図８の使用状態を示した側面図である。
【図１１】図８の使用状態を示し一部を断面とした側面図である。
【図１２】本発明の補助容器体の結合構造を示した斜視図である。
【図１３】本発明の補助容器体の別の結合構造を示した斜視図である。
【図１４】本発明の異なる実施例の補助容器体の結合構造を示した斜視図である。
【図１５】本発明の補助容器体の結合構造を示した斜視図である。
【図１６】本発明の補助容器体の他の結合構造を示した断面図である。
【図１７】本発明の補助容器体の他の結合構造を示した断面図である。
【図１８】本発明の補助容器体の別の結合構造を示した断面図である。
【図１９】本発明の本体の他の実施形態を示した斜視図である。
【図２０】図１９の実施形態の使用状態を示した斜視図である。
【図２１】本発明の排出部の他の実施形態を示した要部断面図である。
【図２２】本発明の排出部の他の実施形態を示した要部断面図である。
【図２３】本発明の排出部の他の実施形態を示した要部断面図である。
【図２４】本発明の排出部の他の実施形態を示した要部断面図である。
【図２５】本発明の排出部の他の実施形態の一部を示した要部断面図である。
【図２６】本発明の排出部の他の実施形態を示した斜視図である。
【図２７】本発明の排出部の他の実施形態を示した斜視図である。
【図２８】本発明の補助収納空間を示した断面図である。
【図２９】本発明の補助収納空間の使用例を示した断面図である。
【図３０】本発明の補助収納空間を示した断面図である。
【図３１】本発明の別の補助収納空間を示した断面図である。
【符号の説明】
【００４６】
１    飲食用容器
２    主収納空間
３    補助収納空間
６    上面部
７    側面部
８    環状縁部
９    シール部材
１０    本体
２３    排出部
２６    折曲部
３０    栓
４０    排出体
４１    作動排出部
【図１】
2006520722.tif 000003
【図２】
2006520722.tif 000004
【図３】
2006520722.tif 000005
【図４】
2006520722.tif 000006
【図５】
2006520722.tif 000007
【図６】
2006520722.tif 000008
【図７】
2006520722.tif 000009
【図８】
2006520722.tif 000010
【図９】
2006520722.tif 000011
【図１０】
2006520722.tif 000012
【図１１】
2006520722.tif 000013
【図１２】
2006520722.tif 000014
【図１３】
2006520722.tif 000015
【図１４】
2006520722.tif 000016
【図１５】
2006520722.tif 000017
【図１６】
2006520722.tif 000018
【図１７】
2006520722.tif 000019
【図１８】
2006520722.tif 000020
【図１９】
2006520722.tif 000021
【図２０】
2006520722.tif 000022
【図２１】
2006520722.tif 000023
【図２２】
2006520722.tif 000024
【図２３】
2006520722.tif 000025
【図２４】
2006520722.tif 000026
【図２５】
2006520722.tif 000027
【図２６】
2006520722.tif 000028
【図２７】
2006520722.tif 000029
【図２８】
2006520722.tif 000030
【図２９】
2006520722.tif 000031
【図３０】
2006520722.tif 000032
【図３１】
2006520722.tif 000033
【国際調査報告】
2006520722.tif 000034
2006520722.tif 000035